(57)【要約】【課題】本発明は、水中でも電子機器の結合を交換できるもので特に水中で交換しても短絡することなく、電気的結合も確かで信号の授受ができる防水型信号コネクタを提供する。【解決手段】必要に応じて受信機能回路或いは発信機能回路に接続される液密構造の第一の発振回路部と、必要に応じて受信機能回路或いは発振機能回路に接続される液密構造の第二の発振回路部と、前記第一の発振回路部と前記第二の発振回路部とを着脱自在にした構造のコネクタ本体とからなり前記第一の発振回路部と前記第二の発振回路部と間で信号のやりとりができ且つ前記第一の発振回路部と前記第二の発振回路部とは水中でも着脱できるようにしたことを特徴とする防水型信号コネクタ。【選択図】図１
2009231070.tif 000002
【特許請求の範囲】
【請求項１】
必要に応じて受信機能回路或いは発信機能回路に接続される液密構造の第一の発振回路部と、必要に応じて受信機能回路或いは発振機能回路に接続される液密構造の第二の発振回路部と、前記第一の発振回路部と前記第二の発振回路部とを着脱自在にした構造のコネクタ本体とからなり前記第一の発振回路部と前記第二の発振回路部と間で信号のやりとりができ且つ前記第一の発振回路部と前記第二の発振回路部とは水中でも着脱できるようにしたことを特徴とする防水型信号コネクタ。
【発明の詳細な説明】
【技術分野】
【０００１】
本発明は、一方が必要に応じて受信機能回路部或いは発信回路機能部に接続され、他方も必要に応じて受信機能回路部或いは発信機能回路部に接続され、水中で脱着ができる液密構造の発信回路部を備えた防水型信号コネクタに関するものである。
【背景技術】
【０００２】
一般には信号線を途中で脱着する場合、空気中（陸上）で行うのが通常であるが、電子機器、所謂電子製品は水中でも利用するストロボなどがあるが、このような水中のストロボの場合、水中で信号線を脱着できる方が他のストロボ等と交換する場合大変便利である。従来のものは水中で交換するのは電気的に短絡する危険性もあり、従って、信号を伝達するのに水中を考慮して電子機器を交換することに余り配慮されていなかった。
【０００３】
特許文献１は、防水型のコネクタであるが、此のコネクタは防水を考慮しているが、水中でコネクタ相互を着脱できる構造を提案しているので無く、単に防水構造を提案しているもので、此の特許文献１の場合、水中で脱着できたとしても電気回路部分が浸水するので危険である。また、信号を相互に送受信する中継のコネクタとしての機能も考慮していないものである。
【特許文献１】特開２００８−００４２９７号公報
【発明の開示】
【発明が解決しようとする課題】
【０００４】
本発明が解決しようとする問題点は、水中で電気的信号線に繋がっている電子機器を他の電子機器に交換する場合、電気的短絡が生ぜず、交換後も良好な通信ができる防水型信号コネクタが存在しない点である。
【課題を解決するための手段】
【０００５】
本発明の防水型信号コネクタは、必要に応じて受信機能回路或いは発信機能回路に接続される液密構造の第一の発振回路部と、必要に応じて受信機能回路或いは発振機能回路に接続される液密構造の第二の発振回路部と、前記第一の発振回路部と前記第二の発振回路部とを着脱自在にした構造のコネクタ本体とからなることを特徴とする。
【発明の効果】
【０００６】
必要に応じて受信機能回路或いは発信機能回路に接続される液密構造の第一の発振回路部と、必要に応じて受信機能回路或いは発振機能回路に接続される液密構造の第二の発振回路部と、前記第一の発振回路部と前記第二の発振回路部とを着脱自在にした構造のコネクタ本体とからなり前記第一の発振回路部と前記第二の発振回路部と間で信号のやりとりができ且つ前記第一の発振回路部と前記第二の発振回路部とは水中でも着脱できる効果がある。
【発明を実施するための最良の形態】
【０００７】
本発明は、液密構造の第一の発振回路部と液密構造の第二の発振回路部とを共振結合できるようにしているので従って信号の授受も良好で水没による短絡も生じないことを目的としているものである。また必要に応じて第一の発振回路部と第二の発振回路部を結合するコネクタ本体を液密構造とすることも可能な目的である。
【実施例】
【０００８】
以下に、図１を参照して本発明の実施例に係る防水型信号コネクタについて説明する。
１は第一の発振回路部であって、この第一の発振回路部１は第二の発振回路部２１と電気的に対峙している。第一の発振回路部１は此の場合ＬＣ共振回路でこの回路の端末は発信機能回路に接続されている。又、第一の発振回路部１は絶縁性のコード５に敷設され、其の先端は断面凹型で円形の受器２を構成している。受器２は周囲には受器ネジ３が形成してあって、又更に鍔には内側ネジ４を形成している。
【０００９】
前記受器２は電気的絶縁性を有する材質でコード５と一体的で例えばプラスチック等で形成する。前記受器２の前記第二の発振回路部２１側には凹所６が環状に形成され、この凹所６に対向する円形の締付器７の環状の突起８がOリング９を介して挿入されるようになっている。締付器７はプラスチック等で電気的絶縁性を有する。
【００１０】
前記締付器７の周囲には締付ネジ１０が設けてあって、この締付ネジ１０を内側ネジ４にねじ込み締め付けると、前記０リング９を介在して同時に突起８が凹所６に突入して締め付け固定が完了する。此の場合締付ネジ１０は極力薄く構成し第一の発振回路部１のコイルＬと前記第二の発振回路部２１のコイルＬとが電気的に接続できるように前記受器２の薄型化とともに十分考慮された材料と構造を採用するものとすることはもちろんで有る。
尚前記第二の発振回路部２１側は機構上の構成は同一なので同一番号を付して説明を省略する。
【００１１】
前記１１は円筒形の締付菅でこの締付菅１１の内側には締付菅ネジ１２が切ってある。此の締付菅１１は前記第一の発振回路部１と第二の発振回路部２１をネジ込んで取り付けるもので、この取付で前記第一の発振回路部１と第二の発振回路部２１とは両コイルＬを電気的に対向配置される構造に形成できる。そして、受器２、締付器７、Oリング９，締付菅１１でコネクタ本体１４を構成している。
【００１２】
次に水中で電子機器に接続されている第一の発振回路部１と第二の発振回路部２１とを結合する場合、予め受器２には０リング９を介して締付ネジ１０がねじ込み固定されていて同じように第二の発振回路部２１側も受器２に０リング９を介して締付ネジ１０がねじ込み固定されているので、両発振回路部１，２１の受器ネジ３に締付菅１１の締付菅ネジ１２を締め付けて固定する。之によって液密に固定できる。
【００１３】
尚、締付菅１１より第一の発振回路部１と第二の発振回路部２１を外す場合は前記締付菅１１を緩めれば外すことができる。また、図ではＬＣ発振回路を用いたが信号が授受できれば他の発振回路でもよいこともちろんである。又コード５は受器２と液密構造で構成されていることももちろんである。更に、第一の発振回路部側が電子機器の端子箇所を構成しても良く、実施例に限られないものである。
【産業上の利用可能性】
【００１４】
本発明の防水型信号コネクタは水中の使用に限らず、防水効果があるので陸上の使用でもよいものである。
【図面の簡単な説明】
【００１５】
【図１】本発明の実施例１に係る防水型信号コネクタを分解断面概略図である。
【符号の説明】
【００１６】
１    第一の発振回路部
２    受器
３    受器ネジ
４    内側ネジ
５    コード
６    凹所
７    締付器
８    突起
９    Oリング
１０  締ネジ
１１  締付菅
１２  締付菅ネジ
１４  コネクタ本体
２１  第二の発振回路部
【図１】
2009231070.tif 000003